(57)【要約】【課題】簡単でしかも安価な構成でありながら、図柄が動いて見えるようにすることを可能とした遊技機の装飾パネル装置を提供する。【解決手段】装飾パネル３１は、透明な基板３２の裏面に、透光性の着色による歯車形状の第１図柄４２及び第１バック４２ｃを有する第１透光面を設け、その裏面に白色の下地６０を設け、その裏面に、第２バック７０に遮光塗料を塗布して白抜きの歯車形状の第２図柄７２を有する第２透光面を設けて構成されている。第１図柄４２の歯部４２ｂに対して、第２図柄７２の歯部対応部７２ｂを歯車の回転方向にずらして位置ずれ部ｄを設ける。遊技者は、光源５０の消灯時には第１図柄４２を視認し、点灯時には、位置ずれ部ｄを視認するので、光源５０の点滅により、歯部４２ｂが回転して見える。【選択図】図６
2010187907.tif 000002
【特許請求の範囲】
【請求項１】
遊技機の正面側に配置されて遊技者に対向する装飾パネルと、前記装飾パネルに背面側から光を照射する点滅可能な光源とを備えた装飾パネル装置において、
前記装飾パネルは、
前記光源からの光が透過可能な表面パネルと、
前記表面パネルに設けられて、前記光源の消灯時でも前記遊技者による視認が可能であってかつ前記光源の点灯時には前記光源からの光の透過を許容する第１図柄と、前記第１図柄に隣接して前記第１図柄とは光の透過状態が異なる第１バックと、を有する第１透光面と、
前記第１透光面の背面側に設けられて光が透過可能な淡い色の下地と、
前記下地の背面側に設けられて、前記光源の消灯時には前記下地により前記遊技者による視認が不能であってかつ前記光源の点灯時には前記光源からの光により前記下地、前記第１透光面、及び前記表面パネルを介して前記遊技者による視認が可能な第２図柄と、前記第２図柄に隣接して前記第２図柄とは光の透過状態が異なる第２バックと、を有する第２透光面と、を備え、
前記第２図柄は、前記第１図柄に対して略同形でかつ略同位置に形成されるとともに少なくとも一部に前記第１図柄の対応する部分に対してずれた位置に配置されて、前記遊技者による視認が、前記光源の点灯により可能となり、前記光源の消灯により不能となる、
ことを特徴とする装飾パネル装置。
【請求項２】
前記第２図柄と前記第２バックとのうちの一方が遮光性を有し、他方が透光性を有する、
ことを特徴とする請求項１に記載の装飾パネル装置。
【請求項３】
前記第２図柄と前記第２バックとが透光性を有し、前記第２図柄と前記第２バックとの間に遮光性の第２輪郭線を有する、
ことを特徴とする請求項１に記載の装飾パネル装置。
【請求項４】
前記第２図柄と前記第２バックとが、透光性を有する、それぞれ異なった色である、
ことを特徴とする請求項１に記載の装飾パネル装置。
【請求項５】
前記第２図柄と前記第２バックとの間に透光性を有する、さらに異なった色の第３輪郭線を有する、
ことを特徴とする請求項４に記載の装飾パネル装置。
【請求項６】
前記第１図柄と前記第１バックとが、透光性を有する、それぞれ異なった色である、
ことを特徴とする請求項１ないし５のいずれか１項に記載の装飾パネル装置。
【請求項７】
前記第１図柄と前記第１バックとの間に透光性を有する、さらに異なった色の第１輪郭線を有する、
ことを特徴とする請求項６に記載の装飾パネル装置。
【請求項８】
前記第１図柄及び前記第２図柄が、略回転軸方向から見た歯車の図柄である、
ことを特徴とする請求項１ないし７のいずれか１項に記載の装飾パネル装置。
【請求項９】
前記第１図柄及び前記第２図柄が、文字である、
ことを特徴とする請求項１ないし７のいずれか１項に記載の装飾パネル装置。
【請求項１０】
前記第２図柄は、前記第１図柄と同形に形成されていて、前記第１図柄を回転させた位置に配置されることで前記位置ずれ部が形成されている、
ことを特徴とする請求項１ないし９のいずれか１項に記載の遊技機の装飾パネル装置。
【請求項１１】
前記第２図柄は、前記第１図柄よりも大きく形成されている、
ことを特徴とする請求項１ないし１０のいずれか１項に記載の遊技機の装飾パネル装置。
【請求項１２】
前記第２図柄は、前記第１図柄よりも小さく形成されている、
ことを特徴とする請求項１ないし１０のいずれか１項に記載の遊技機の装飾パネル装置。
【請求項１３】
前記光源は、２８０ｍｍｓｅｃの時間間隔で点滅される、
ことを特徴とする請求項１ないし１２のいずれか１項に記載の遊技機の装飾パネル装置。
【請求項１４】
前記光源の点滅の時間間隔を徐々に短くする、
ことを特徴とする請求項１ないし１２のいずれか１項に記載の遊技機の装飾パネル装置。
【請求項１５】
前記光源の点滅の時間間隔を徐々に長くする、
ことを特徴とする請求項１ないし１２のいずれか１項に記載の遊技機の装飾パネル装置。
【発明の詳細な説明】
【技術分野】
【０００１】
本発明は、パチスロ，スロットマシン等の遊技機に使用される装飾パネル装置に関する。
【背景技術】
【０００２】
パチスロ，スロットマシン等の遊技機にあっては、遊技者に対面する位置には、装飾パネルが配置されていて、この装飾パネルには、遊技中の遊技者の興趣を高めるべく、種々の絵や図形やキャラクタや文字（以下「図柄」という。）が付されている。また、特許文献１には、液晶パネル等を使用することなく、装飾パネル上の図柄の色を簡単に変化させる構成が開示されている。
【０００３】
このものは、透明又は半透明の基板上に、所定の色（例えば、第１色）の光透過性の塗料で図柄が描かれており、この図柄の背面には、白色の光透過性の下地が塗られている。さらに、下地は、複数の小さい領域に分割されていて、それぞれの領域が光透過性の異なる色（例えば、第２色と第３色）の塗料で塗られている。そして、この装飾パネルの背面側には、点滅可能な光源が配置されている。
【０００４】
光源が消灯されている場合には、遊技者には、装飾パネルに描かれた図柄が、反射光により、そのまま、その色（第１色）で見える。これに対し、例えば、ＢＢ（ビッグボーナス）等に当選したときには、光源が点灯される。これにより、遊技者には、上述の図柄が、各領域及び下地及び図柄を透過した光によって種々の色に見える。すなわち、光源からの光は、一つの領域（第２色）と図柄（第１色）とを透過する光によって図柄（第１色）とは別の色に見え、さらに、他の領域（第３色）と図柄（第１色）とを透過する光によってさらに別の色に見える。つまり、光源が消灯された状態においては、１色（第１色）にしか見えなかった図柄が、光源の点灯後には、複数の色、つまり（第１色＋第２色）及び（第１色＋第３色）に分割されて見える。
【０００５】
この発明によると、液晶パネル等を使用することなく、簡単でしかも安価な構成でありながら、図柄を種々の色で演出することができる。
【特許文献１】特開２００６−１９２０３５号公報
【発明の開示】
【発明が解決しようとする課題】
【０００６】
しかしながら、特許文献１では、簡単な構成で、種々の色を演出することはできるものの、液晶パネルとは異なり、図柄に動きを与えることはできない。
【０００７】
そこで、本発明は、簡単でしかも安価な構成でありながら、図柄が動いて見えるようにすることを可能とした装飾パネル装置を提供することを目的とするものである。
【課題を解決するための手段】
【０００８】
請求項１に係る発明は、遊技機の正面側に配置されて遊技者に対向する装飾パネルと、前記装飾パネルに背面側から光を照射する点滅可能な光源とを備えた装飾パネル装置に関する。この発明に係る装飾パネル装置は、前記装飾パネルは、前記光源からの光が透過可能な表面パネルと、前記表面パネルに設けられて、前記光源の消灯時でも前記遊技者による視認が可能であってかつ前記光源の点灯時には前記光源からの光の透過を許容する第１図柄と、前記第１図柄に隣接して前記第１図柄とは光の透過状態が異なる第１バックと、を有する第１透光面と、前記第１透光面の背面側に設けられて光が透過可能な淡い色の下地と、前記下地の背面側に設けられて、前記光源の消灯時には前記下地により前記遊技者による視認が不能であってかつ前記光源の点灯時には前記光源からの光により前記下地、前記第１透光面、及び前記表面パネルを介して前記遊技者による視認が可能な第２図柄と、前記第２図柄に隣接して前記第２図柄とは光の透過状態が異なる第２バックと、を有する第２透光面と、を備え、前記第２図柄は、前記第１図柄に対して略同形でかつ略同位置に形成されるとともに少なくとも一部に前記第１図柄の対応する部分に対してずれた位置に配置されて、前記遊技者による視認が、前記光源の点灯により可能となり、前記光源の消灯により不能となる、ことを特徴とする。
【０００９】
ここで、第１図柄と第２図柄とについて「光の透過状態が異なる」とは、一方が光を通し他方が通さない、一方の光の透過量と他方の光の透過量とが異なる、一方と他方との明度が異なる、一方と他方との色彩が異なる等をいう。
【００１０】
請求項２に係る発明は、請求項１に係る装飾パネル装置において、前記第２図柄と前記第２バックとのうちの一方が遮光性を有し、他方が透光性を有する、ことを特徴とする。
【００１１】
請求項３に係る発明は、請求項１に係る装飾パネル装置において、前記第２図柄と前記第２バックとが透光性を有し、前記第２図柄と前記第２バックとの間に遮光性の第２輪郭線を有する、ことを特徴とする。
【００１２】
請求項４に係る発明は、請求項１に係る装飾パネル装置において、前記第２図柄と前記第２バックとが、透光性を有する、それぞれ異なった色である、ことを特徴とする。
【００１３】
請求項５に係る発明は、請求項４に係る装飾パネル装置において、前記第２図柄と前記第２バックとの間に透光性を有する、さらに異なった色の第３輪郭線を有する、ことを特徴とする。
【００１４】
請求項６に係る発明は、請求項１ないし５のいずれか１項に記載の装飾パネル装置において、前記第１図柄と前記第１バックとが、透光性を有する、それぞれ異なった色である、ことを特徴とする。
【００１５】
請求項７に係る発明は、請求項６に係る装飾パネル装置において、前記第１図柄と前記第１バックとの間に透光性を有する、さらに異なった色の第１輪郭線を有する、ことを特徴とする。
【００１６】
請求項８に係る発明は、請求項１ないし７のいずれか１項に係る装飾パネル装置において、前記第１図柄及び前記第２図柄が、略回転軸方向から見た歯車の図柄である、ことを特徴とする。
【００１７】
請求項９に係る発明は、請求項１ないし７のいずれか１項に係る装飾パネル装置において、前記第１図柄及び前記第２図柄が、文字である、ことを特徴とする。
【００１８】
請求項１０に係る発明は、請求項１ないし９のいずれか１項に係る遊技機の装飾パネル装置において、前記第２図柄は、前記第１図柄と同形に形成されていて、前記第１図柄を回転させた位置に配置されることで前記位置ずれ部が形成されている、ことを特徴とする。
【００１９】
請求項１１に係る発明は、請求項１ないし１０のいずれか１項に係る遊技機の装飾パネル装置において、前記第２図柄は、前記第１図柄よりも大きく形成されている、ことを特徴とする。
【００２０】
請求項１２に係る発明は、請求項１ないし１０のいずれか１項に係る遊技機の装飾パネル装置において、前記第２図柄は、前記第１図柄よりも小さく形成されている、ことを特徴とする。
【００２１】
請求項１３に係る発明は、請求項１ないし１２のいずれか１項に係る遊技機の装飾パネル装置において、前記光源は、２８０ｍｓｅｃの時間間隔で点滅される、ことを特徴とする。
【００２２】
請求項１４に係る発明は、請求項１ないし１２のいずれか１項に係る遊技機の装飾パネル装置において、前記光源の点滅の時間間隔を徐々に短くする、ことを特徴とする。
【００２３】
請求項１５に係る発明は、請求項１ないし１２のいずれか１項に係る遊技機の装飾パネル装置において、前記光源の点滅の時間間隔を徐々に長くする、ことを特徴とする。
【発明の効果】
【００２４】
本発明によれば、遊技者は、光源が消灯されているときには、下地の背面側に配置されている第２図柄を見ることができず、主に第１図柄を見ることになる。これに対し、光源が点灯されているときには、第１図柄に加えて、第２図柄を見ることができる。すなわち、下地、第１図柄、及び表面パネルを透かして第２図柄を見ることができ、この第２図柄が第１図柄に重なって見える。したがって、遊技者は、第２図柄の一部である位置ずれ部を、光源の消灯時には見ることができず、点灯時には見ることができる。このため、例えば、光源を適宜な時間間隔で点滅させることにより、第１図柄における位置ずれ部に対応する部分が動いて見える。
【発明を実施するための最良の形態】
【００２５】
以下、本発明の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２６】
図１〜図６を参照して、本発明に係る装飾パネル装置及び遊技機を説明する。このうち、図１は、遊技機の一例としてのパチスロ１０を正面側の左斜め上方から見た斜視図である。また、図２は、パチスロ１０の正面図である。図３は、装飾パネル装置３０の全体を示す斜視図である。図４は、動く図柄の一例を示す図である。図５は、図４の部分拡大図である。図６は、図５中のＡ−Ａ線矢視図である。なお、本発明に係る遊技機としては、上述のパチスロ１０以外に、スロットマシン、パチンコ機、及びこれらに類するものが含まれる。
【００２７】
まず、図１，図２を参照して、パチスロ１０全体の概略構成を説明する。
【００２８】
図１に示すパチスロ（遊技機）１０は、箱状のパチスロ本体（遊技機本体）１１を備えており、遊技者に対面する側である正面側には、リールユニット１２、遊技メタル投入口１３、スタートレバー（回胴回転始動レバー）１４、ボタンプレートユニット１５、受け皿１６等が配設されている。以下、リールユニット１２から順に説明する。
【００２９】
リールユニット１２全体は、パチスロ本体１１正面における上下方向の中央よりも少し上方に配置されており、左から順に第１のリール２１、第２のリール２２、第３のリール２３を有している。これら第１，第２，第３のリール２１，２２，２３は、例えばそれぞれ周方向に２１個の図柄が描かれており、それぞれ独立に回転駆動され、また停止されるようになっている。
【００３０】
遊技メタル投入口１３は、パチスロ本体１１正面における右側に配設されていて、遊技者が遊技を開始するに先立って遊技用のメダル（以下単に「メダル」という。）を投入する部分である。
【００３１】
スタートレバー１４は、パチスロ本体１１正面における左側に配設されていて、上述の第１，第２，第３のリール２１，２２，２３の回転を開始するためのものである。遊技者がこのスタートレバー１４を下方に押下することにより、第１，第２，第３のリール２１，２２，２３が同時に回転を開始することになる。
【００３２】
ボタンプレートユニット１５は、上述のスタートレバー１４のすぐ右方に配置されていて、ボタンプレート２４と、左から順に並べられた第１のストップボタン２５，第２のストップボタン２６，第３のストップボタン２７とを有している。これら第１，第２，第３のストップボタン２５，２６，２７は、この順に第１，第２，第３のリール２１，２２，２３の回転を停止させるものである。すなわち、上述のスタートレバー１４を押下することで回転を開始した第１，第２，第３のリール２１，２２，２３に対して、遊技者が第１のストップボタン２５を押すことにより第１のリール２１が停止し、また第２のストップボタン２６を押すことにより第２のリール２２が停止し、さらに第３のストップボタン２７を押すことにより第３のリール２３が停止するようになっている。
【００３３】
受け皿１６は、パチスロ本体１１正面の下部に配設された皿状の部材である。受け皿１６は、パチスロ本体１１の内部に配設された遊技メダル払出ユニット（不図示）から払い戻されたメダルが溜まる部分である。
【００３４】
次に、上述構成のパチスロ１０の動作の概略を説明する。
【００３５】
パチスロ１０は、まず、遊技者が遊技メダル投入口１３から所定枚数（例えば、１枚又は２枚又は３枚）のメダルを投入することによって、ゲーム（遊技）が開始できる状態となる。メダル投入後、遊技者は、スタートレバー１４を押下してゲームを開始する。これにより、リールユニット１２の第１，第２，第３のリール２１，２２，２３が回転を開始する。つづいて、遊技者は、ボタンプレートユニット１５の第１，第２，第３のストップボタン２５，２６，２７を次々と押して、第１，第２，第３のリール２１，２２，２３を順次に停止させる。このとき、停止された第１，第２，第３のリール２１，２２，２３の図柄が所定のライン（メダルの投入枚数の１枚，２枚，３枚に対応して１本，３本，５本となる。）にそろうと、そのそろい方に応じてボーナス役、小役、リプレイ、ハズレ等となる。ボーナス役には、例えばＢＢ（ビッグボーナス）やＲＢ（レギュラーボーナス）などがある。所定のラインにボーナス役や小役の図柄がそろった場合には、決められた枚数のメダルが遊技メダル払出ユニットから受け皿１６に払い戻しされ、またリプレイの図柄がそろった場合には、次のゲームをメダルの投入なしに行うことができる。これに対して、上述以外、すなわち所定のラインに、ボーナス役、小役、リプレイのいずれの図柄もそろわない場合、いわゆるハズレの場合には、メダルを失う。これで１回のゲームが終了する。遊技者はこのようなゲームを次々と繰り返すことで、遊技を楽しむことになる。
【００３６】
以上で、図１，図２に示すパチスロ１０の動作の概略についての説明を終える。
【００３７】
ここで、上述のボーナス役、小役、リプレイ、ハズレについてさらに補足説明を行う。これらボーナス役、小役、リプレイ、ハズレは、実際には、ゲーム開始直後に行われる内部抽選によって決定される。この内部抽選は、一般に、ゲーム開始時に、スタートレバー１４が移動を開始した直後に行われるが、その抽選結果は遊技者に直接知らされることはない。
【００３８】
上述の内部抽選の結果、ボーナス役に当選すると、ボーナス役に入賞する権利を獲得する。すなわち、ボーナス役に内部当たりすると、その後の所定回数のゲームの間に上述の第１，第２，第３のリール２１，２２，２３の所定のラインにボーナス役に相当する図柄がそろうことが可能となり、そして実際にそろった場合には、あらかじめ設定されている枚数のメダルを獲得することができる。
【００３９】
また、上述の抽選の結果、小役に当選すると、そのゲームに限り、高い確率で上述の第１，第２，第３のリール２１，２２，２３の所定のラインに小役に相当する図柄がそろうことになり、そろった場合には、相応のメダルを獲得できるようになっている。
【００４０】
さらに、上述の抽選の結果、リプレイに当選すると、そのゲームにおいて、上述の第１，第２，第３のリール２１，２２，２３の所定のラインにリプレイに相当する図柄がそろい、次のゲームは、メダルを投入しないで行えるようになる。
【００４１】
これらボーナス役、小役、リプレイに対して、上述の内部抽選の結果、ハズレとなったときには、そのゲームにおいて、ボーナス役、小役、リプレイに相当する図柄がそろうことなく、メダルを失うことになる。
【００４２】
次に、図３を参照して、本発明に係る装飾パネル装置３０について説明する。
【００４３】
装飾パネル装置３０は、装飾パネル３１と光源５０とによって構成されている。このうち、装飾パネル３１は、左右方向に長い矩形形状の基板（表面パネル）３２に、塗料や装飾フィルムを裏面側から層状に設けることによって形成されている。基板３２は、例えば、透明のアクリル、塩化ビニル等の合成樹脂（プラスチック）やガラスの板によって形成することができる。
【００４４】
装飾パネル３１は、左右方向の中央で、上下方向の中央よりも少し上側に、透明な窓部３３が設けてあって、上述のリールユニット１２（図２参照）が透けて見えるようになっている。装飾パネル３１における窓部３３以外の部分、つまり額縁状に窓部３３を囲む部分には、種々の色の塗料や装飾フィルムによって種々の装飾が施された装飾部３４となっている。装飾は、基本的に基板３２の背面（裏面）側に、色の濃い塗料又は色の濃い装飾フィルムから色の薄い塗料又は色の薄い装飾フィルムの順に層状に重ねていくことで形成されている。
【００４５】
本実施形態では、窓部３３の右側に、図柄（第１図柄）として、図３，図４に示す３つの歯車４１，４２，４３と、紐４４と、係止具４５と、錘４６とが描かれている。なお、これら１つ１つも図柄を構成している。これらの図柄のうち、３つの歯車（第１図柄）４１，４２，４３と、錘（第１図柄）４６とが後述するように、光源５０の点滅によってあたかも動いて見えるように構成されている。動くように見せるための構成は、いずれも同様であるので、以下では、歯車（第１図柄）４２を例に説明する。
【００４６】
図４に示すように、歯車（第１図柄）４２は、中心（回転中心）Ｃを基準とした円形の歯車本体４２ａと、その外周に突設された複数の歯部４２ｂとによって形成されていて、全体に光透過可能な（透光性の）薄色の着色がなされている。また、歯車（第１図柄）４２に隣接する周囲のバック（第１バック）４２ｃにも、歯車（第１図柄）４２とは異なる色の薄色の透光性の着色がなされている。ここで、本例では、歯車（第１図柄）４２と第１バック４２ｃとによって第１透光面が構成されている。歯部４２ｂは、歯車本体４２ａの周方向に沿って所定のピッチで複数配置されている。歯車（第１図柄）４２は、図６に示すように、基板３２の裏面３２ａ側に、着色された半透明（光透過性）の塗料で描かれている。つまり、歯車本体４２ａと複数の歯部４２ｂとがこの塗料で描かれている。そして、この歯車４２（第１図柄）の裏面３２ａ側及び歯車（第１図柄）４２のバック（第１バック）４２ｃの裏面側に、重ねるように下地６０が設けられている。下地６０は、不透明でかつ光が透過可能な淡い色の塗料（例えば、白色）によって形成されている。下地６０の裏面側（背面側）には、遮光塗料が塗布されている。本例では、遮光塗料は、上述の歯車（第１図柄）に対応する歯車対応部（第２図柄）７２が白抜きによって形成されるようにその隣接する周囲に第２バック７０として塗布されている。すなわち、周囲の第２バック７０に遮光塗料を塗布することにより、遮光塗料が塗布されていない白抜きの歯車形状（第２図柄）７２を形成するようにしている。つまり、第２図柄７２は、歯車（第１図柄）４２の歯車本体４２ａに対応する本体対応部７２ａと、歯部４２ｂに対応する歯部対応部７２ｂとを有している。なお、本例では、第２図柄７２と第２バック７０とによって第２透光面が構成されている。第２図柄７２は、その中心が歯車（第１図柄）４２の中心Ｃに合わせて配置されていて、さらに、歯車（第１図柄）４２に対して、少し回転させた（ずらした）状態で配置されている。この回転角度は、例えば、５度程度である。このため、図６に示すように、第２図柄７２の歯部対応部７２ｂは、歯車（第１図柄）４２の歯部４２ｂに対して、回転方向に沿って、位置ずれ部ｄが発生している。
【００４７】
上述の歯車（第１図柄）４２において、光源５０が消灯されている場合には、遊技者は、装飾パネル３１の正面側（表面側）から反射光によって歯車（第１図柄）４２を見ることになる。このとき、下地６０の色が歯車４２を透過するが、上述のように下地６０は白色であるので遊技者には着色された歯車４２が見えるのみで、下地６０の存在はわからない。次に、光源５０が点灯されると、遊技者には、第２図柄７２及び下地６０を透過した光によって第２図柄７２の形状が見える。つまり、歯車（第１図柄）４２にほぼ重なって、しかも、回転方向に少しずれた状態の第２図柄７２を見ることになる。このため、遊技者には、歯車（第１図柄）４２が図５，図６に示すように位置ずれ部ｄに対応した分だけ矢印ａ方向に回転したかのように見える。このため、光源５０の点滅を適宜な時間間隔、例えば２８０ｍｓｅｃで行えば、遊技者には、歯車（第１図柄）４２が矢印ａ方向に回転し、また矢印ｂ方向に戻る運動を繰り返すように見える。つまり、光源５０の点滅によって歯車（第１図柄）４２があたかも動いているかのように見える。この場合、時間間隔を徐々に短くすれば、歯車（第１図柄）４２の動きが徐々に速くなるように見え、また、この逆に時間間隔を徐々に長くすれば、歯車（第１図柄）４２の動きが徐々に遅くなるように見えるようにすることができる。なお、歯車（第１図柄）４１，４３についても、上述の歯車（第１図柄）４２や第２図柄７２（遮光塗料による白抜き）と同様に塗料を施せば、同様に動くように見える。この際、歯車（第１図柄）４１，４３は、歯車（第１図柄）４２と同期して動くように見える向きに遮光塗料をずらして塗布するとよい。また、錘（第１図柄）４６については、第２図柄を上下方向にずらして形成する、すなわち、遮光塗料を上下方向にずらして施しておけば、光源５０の点滅によって錘（第１図柄）４６が上下動するように見える。この場合、錘（第１図柄）４６の上下動が、歯車（第１図柄）４３の回転に同期するように、遮光塗料を塗布するとことが好ましい。以上では、第２図柄７２が歯車（第１図柄）４２等と同形である場合を説明したが、これに限らず、例えば、第２図柄７２を歯車（第１図柄）４２等と同形で同位置の部分に、さらに位置ずれ部ｄに対応する部分を付加するようにして歯部４２ｂの回転方向の幅を広くするように形成してもよく、この場合もほぼ同様の効果を奏することができる。
【００４８】
以上の例では、本発明を歯車（第１図柄）４２等に適用した場合を例に説明したが、本発明はこれに限定されるものではなく、任意の第１図柄に対して同様の第２図柄を形成する（遮光塗料を施す）ことにより、光源５０の点滅で、これらの第１図柄があたかも動くように見せることができる。また、第２図柄を第１図柄に対して相似形で、第１図柄よりも大きくしたり、また逆に小さくしたりして形成した場合には、光源５０の点滅によって、第１図柄が大きくなったり小さくなったりするように見える。
【００４９】
さらに、第１図柄として、図形に代えて文字を選択することもできる。すなわち、第１図柄としての文字に対して、第２図柄としてこの文字とほぼ同形の文字を少しずらして形成する（遮光塗料を塗布する）ことにより、光源５０の点滅によって文字が動くように見える。
【００５０】
以下、さらに装飾パネル装置について、実施例１〜実施例１３に具体的に説明する。
（実施例１）
【００５１】
図７に実施例１を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。
【００５２】
これらの図に示すように、装飾パネル装置は、装飾パネルと、この装飾パネルの背面側に配設された光源１５０とを備えている。
【００５３】
このうち、装飾パネルは、表面パネル１１０と、この表面パネル１１０の背面側に設けた第１透光面１２０と、この第１透光面１２０の背面側に設けた下地１３０と、この下地１３０の背面側に設けた第２透光面１４０とを有している。
【００５４】
表面パネル１１０は、例えば、透明なアクリル板又はガラス板によって形成されている。
【００５５】
第１透光面１２０は、歯車形状の第１図柄１２１と、その周囲を縁取る第１輪郭線１２２と、第１輪郭線１２２の周囲の第１バック１２３とによって構成されている。第１図柄１２１は、例えば、光透過性のオレンジ色の歯車形状に形成されており、第１輪郭線１２２は、例えば、歯車形状の外周を縁取るように光が透過しにくい太い黒色に着色されている。なお、第１輪郭線１２２は、光が完全に透過しないものであっても、また、透過するものであってもよい。ただし、第１輪郭線１２２は、光が透過する場合であっても、第１図柄１２１よりも光が透過しにくいように着色するのが好ましい。第１輪郭線１２２の周囲の領域には、光透過可能な第１バック１２３が例えば、空色に着色されている。
【００５６】
下地１３０は、第１図柄１２１、第１輪郭線１２２、及び第１バック１２３からなる第１透光面１２０の裏面側の全体に設けられている。下地１３０は、例えば、白色の塗料を塗布することで形成されている。
【００５７】
第２透光面１４０は、第１透光面１２０と略同形、つまり、歯車形状の第２図柄１４１によって構成されている。第２図柄１４１は、第１透光面１２０の第１図柄１２１と同じ色、例えば、光透過可能なオレンジ色に着色されている。なお、図７（ａ）では、第２図柄１４１には、細い輪郭線が付されているが、これは説明の便宜上設けたものであり、実際には、上述の白色の下地１３０上に、オレンジ色の第２図柄１４１を着色することで形成されていて、黒色等の輪郭線は、設けられていない。また、本実施例では、第２透光面１４０における、第２図柄１４１の周囲に位置する第２バック（不図示）が透明であると考えることができる。
【００５８】
光源１５０は、上述の装飾パネルの背面側に適宜な間隔をもって配設されている。図７（ａ）には、光源１５０から照射された光Ｌが、第２透光面１４０、下地１３０、第１透光面１２０、表面パネル１１０の中心を透過するように描かれている。
【００５９】
本実施例においては、第２図柄１４１は、第１図柄１２１に対して、中心（歯車形状の回転中心）が一致するように、かつ、少し回転させた状態（例えば、５度程度）に配置されている。このため図７（ｂ）に示すように、第２図柄１４１の各歯部は、第１図柄１２１の各歯部に対して、回転方向、例えば、図７（ｂ）の右側に向かって、位置がずれて位置ずれ部ｄを構成することになる。
【００６０】
上述構成の装飾パネル装置に対して、遊技者は、表面パネル１１０の正面（前面）側、すなわち、図７（ａ）においては、表面パネル１１０の左側、また、図７（ｂ）においては、表面パネル１１０の上側に位置することになる。なお、図７（ｂ）においては、光源１５０は、第２透光面１４０の下側に位置することになる。
【００６１】
上述構成の装飾パネル装置において、光源１５０が消灯されている場合には、遊技者は、表面パネル１１０を透かして、第１透光面１２０、すなわちオレンジ色の第１図柄１２１及び黒色の第１輪郭線１２２、さらに、周囲の空色の第１バック１２３を視認する。この際、白色の下地１３０に遮られて、第２透光面１４０は視認することができない。
【００６２】
これに対して、光源１５０が点灯された場合、遊技者は、下地１３０、第１透光面１２０、表面パネル１１０を透かして、第２透光面１４０を視認することができる。つまり、第１透光面１２０と第２透光面１４０とが重なって見える。すなわち、遊技者には、第１透光面１２０のオレンジ色の第１図柄１２１に第２透光面１４０のオレンジ色の第２図柄１４１が重なってオレンジ色が濃く見え、さらに、第２透光面１４０の位置ずれ部ｄが、第１バック１２３から透けて見える。このため、光源１５０を点滅させると、遊技者には、第１透光面１２０のオレンジ色の第１図柄１２１が濃くなったり薄くなったりして見えるのと同時に、位置ずれ部ｄが第１透光面１２０の第１輪郭線１２２からはみ出してずれて見えたり、見えなくなったりする。このため、光源１５０の点滅を比較的短い時間間隔（例えば、２８０ｍｓｅｃ）で行うと、第１図柄１２１の歯部が、位置ずれ部ｄに対応する分だけ回転したり、この逆方向に元に戻ったりするように見える。
（実施例２）
【００６３】
図８に実施例２を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例２において、第２透光面１４０を除く、他の構成、すなわち、表面パネル１１０、第１透光面１２０、下地１３０、光源１５０の構成は、実施例１と同様であるのでその説明は省略する。
【００６４】
本実施例２においては、第２透光面１４０は、透光性のオレンジ色の第２図柄１４１とその周囲を太く縁取る遮光性の第２輪郭線１４２Ｓと、この第２輪郭線１４２Ｓの周囲の透明な第２バック（不図示）によって構成されている。遮光性の第２輪郭線１４２Ｓは、遮光塗料を塗布することによって形成されている。ここで、遮光塗料とは、光源１５０からの光をほとんど遮ることができる塗料をいう。第２透光面１４０の第２図柄１４１及び第２輪郭線１４２Ｓは、第１透光面１２０の第１図柄１２１及び第１輪郭線１２２と同形に形成され、また、第２図柄１４１は、第１図柄１２１に対して、中心を一致させて、少し回転させた（略５度程度）状態で配置されている。これにより、図８（ｂ）に示すように、第２透光面１４０側の第２輪郭線１４２Ｓの一部が、第１透光面１２０側の第１輪郭線１２２からはみ出すようにして、２箇所に位置ずれ部ｄが形成される。
【００６５】
以上の構成において、光源１５０が消灯されている場合には、遊技者は、第１図柄１２１及びその第１バック１２３を視認して、第２図柄１４１は視認しない。
【００６６】
これに対し、光源１５０が点灯された場合、第１透光面１２０のオレンジ色の第１図柄１２１と第２透光面１４０のオレンジ色の第２図柄１４１とが重なってオレンジ色が濃くなるが、第１図柄１２１の、位置ずれ部ｄに対応する部分は、オレンジ色が暗くなる。また、空色の第１バック１２３は、透過光により明るい色（薄色）になるが、位置ずれ部ｄに対応する部分は、光が透過しないので暗くなる。すなわち、光源１５０の点滅に対応して、第１透光面１２０の第１図柄１２１の、位置ずれ部ｄに対応する部分、及び第１バック１２３の、位置ずれ部ｄに対応する部分が、暗くなったり明るくなったりする。これにより、第１図柄１２１の歯部が、位置ずれ部ｄに対応する分だけ回転したり、この逆方向に元に戻ったりするように見える。
（実施例３）
【００６７】
図９に実施例３を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例３において、第２透光面１４０を除く、他の構成、すなわち、表面パネル１１０、第１透光面１２０、下地１３０、光源１５０の構成は、実施例１と同様であるのでその説明は省略する。
【００６８】
本実施例においては、第２透光面１４０は、遮光性の第２輪郭線１４２Ｓと、その内側に形成される白抜きの第２図柄１４１と、第２輪郭線１４２Ｓの外側に形成される透明の第２バック（不図示）によって構成されている。第２透光面１４０の第２図柄１４１及び第２輪郭線１４２Ｓは、第１透光面１２０の第１図柄１２１及び第１輪郭線１２２と同形に形成され、また、第２図柄１４１は、第１図柄１２１に対して、中心を一致させて、少し回転させた（略５度程度）状態で配置されている。これにより、図９（ｂ）に示すように、第２透光面１４０側の第２輪郭線１４２Ｓの一部が、第１透光面１２０側の第１輪郭線１２２からはみ出すようにして、２箇所に位置ずれ部ｄが形成される。
以上の構成において、光源１５０が消灯されている場合には、遊技者は、第１図柄１２１及び第１バック１２３を視認して、第２透光面１４０は視認しない。
【００６９】
これに対し、光源１５０が点灯された場合、第１透光面１２０のオレンジ色の第１図柄１２１は、第２透光面１４０の白抜きの第２図柄１４１を透過する光によって明るくなるが、位置ずれ部ｄに対応する部分は、オレンジ色が暗くなる。また、第１バック１２３についても同様で、透過光によって空色が明るくなるが、位置ずれ部ｄに対応する部分は、光が透過しないので、暗い空色になる。すなわち、光源１５０の点滅に対応して、第１透光面１２０の第１図柄１２１の、位置ずれ部ｄに対応する部分、及び第１バック１２３の、位置ずれ部ｄに対応する部分が、暗くなったり明るくなったりする。これにより、第１図柄１２１の歯部が、位置ずれ部ｄに対応する分だけ回転したり、この逆方向に元に戻ったりするように見える。
（実施例４）
【００７０】
図１０に実施例４を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例４において、第２透光面１４０を除く、他の構成、すなわち、表面パネル１１０、第１透光面１２０、下地１３０、光源１５０の構成は、実施例１と同様であるのでその説明は省略する。
【００７１】
本実施例においては、第２透光面１４０は、遮光性の第２輪郭線１４２Ｓと、その内側に形成される白抜きの第２図柄１４１と、第２輪郭線１４２Ｓの外側に形成される第２バック（不図示）によって構成されている。この遮光性の第２輪郭線１４２Ｓは、図１０（ｂ）に示すように、一方の第２輪郭線１４２Ｓ（同図中の右側）が回転方向（同図の右方向）に太らせるように（幅が広くなるように）形成されている。これにより、第２透光面１４０側の第２輪郭線１４２Ｓの一部が、第１透光面１２０側の第１輪郭線１２２からはみ出すようにして、位置ずれ部ｄが形成される。
【００７２】
以上の構成において、光源１５０が消灯されている場合には、遊技者は、第１図柄１２１及び第１バック１２３を視認して、第２透光面１４０は視認しない。
【００７３】
これに対し、光源１５０が点灯された場合、第１透光面１２０の空色の第１バック１２３は、透過光により明るい色（薄色）になるが、位置ずれ部ｄに対応する部分は、光が透過しないので暗くなる。すなわち、光源１５０の点滅に対応して、第１バック１２３が明るくなったり暗くなったりする一方、位置ずれ部ｄに対応する部分は、色があまり変化しないで暗いままである。これにより、第１図柄１２１の歯部が、位置ずれ部ｄに対応する分だけ回転したり、この逆方向に元に戻ったりするように見える。
（実施例５）
【００７４】
図１１に実施例５を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例５において、第２透光面１４０を除く、他の構成、すなわち、表面パネル１１０、第１透光面１２０、下地１３０、光源１５０の構成は、実施例１と同様であるのでその説明は省略する。
【００７５】
本実施例においては、第２透光面１４０は、着色（例えばオレンジ色）による第３輪郭線１４２と、その内側に形成される白抜きの第２図柄１４１と、第３輪郭線１４２の外側の第２バック（不図示）によって構成されている。第２透光面１４０の第２図柄１４１及び第３輪郭線１４２は、第１透光面１２０の第１図柄１２１及び第１輪郭線１２２と同形に形成され、また、第２図柄１４１は、第１図柄１２１に対して、中心を一致させて、少し回転させた（略５度程度）状態で配置されている。これにより、図１１（ｂ）に示すように、第２透光面１４０側の第３輪郭線１４２の一部が、第１透光面１２０側の第１輪郭線１２２からはみ出すようにして、２箇所に位置ずれ部ｄが形成される。
【００７６】
以上の構成において、光源１５０が消灯されている場合には、遊技者は、第１図柄１２１及び第１バック１２３を視認して、第２透光面１４０は視認しない。
【００７７】
これに対し、光源１５０が点灯された場合、第１透光面１２０のオレンジ色の第１図柄１２１は、第２透光面１４０の白抜きの第２図柄１４１を透過する光によって明るくなるが、位置ずれ部ｄに対応する部分は、第２透光面１４０のオレンジ色の第３輪郭線１４２が重なって、オレンジ色が濃くなる。また、第１バック１２３については、透過光によって空色が明るくなるが、位置ずれ部ｄに対応する部分は、バックの空色と、第３輪郭線１４２のオレンジ色が重なって、緑色に見える。すなわち、光源１５０の点滅に対応して、第１透光面１２０の第１図柄１２１の、位置ずれ部ｄに対応する部分が、濃くなったり、薄くなったりし、また、第１バック１２３の、位置ずれ部ｄに対応する部分が緑色になったり、空色になったりする。これにより、第１図柄１２１の歯部が、位置ずれ部ｄに対応する分だけ回転したり、この逆方向に元に戻ったりするように見える。
（実施例６）
【００７８】
図１２に実施例６を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例６において、第２透光面１４０を除く、他の構成、すなわち、表面パネル１１０、第１透光面１２０、下地１３０、光源１５０の構成は、実施例１と同様であるのでその説明は省略する。
【００７９】
本実施例においては、第２透光面１４０は、第２バック１４３Ｓに遮光塗料を塗布することで、白抜きの第２図柄１４１を形成している。また、図１２（ｂ）に示すように、第２バック１４３Ｓの一部が、第１透光面１２０の第１輪郭線１２２の内側に浸入して、位置ずれ部ｄを形成している。
【００８０】
以上の構成において、光源１５０が消灯されている場合には、遊技者は、第１図柄１２１及び第１バック１２３を視認して、第２透光面１４０は視認しない。
【００８１】
これに対し、光源１５０が点灯された場合、第１透光面１２０のオレンジ色の第１図柄１２１は、第２透光面１４０の白抜きの第２図柄１４１を透過する光によって明るくなるが、位置ずれ部ｄに対応する部分は、第２バック１４３Ｓの遮光塗料に遮光されてオレンジ色が暗くなる。すなわち、光源１５０の点滅に対応して、第１透光面１２０の第１図柄１２１の、位置ずれ部ｄに対応する部分が、暗くなったり、明るくする。これにより、第１図柄１２１の歯部が、位置ずれ部ｄに対応する分だけ回転したり、この逆方向に元に戻ったりするように見える。
（実施例７）
【００８２】
図１３に実施例７を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例７において、第２透光面１４０を除く、他の構成、すなわち、表面パネル１１０、第１透光面１２０、下地１３０、光源１５０の構成は、実施例１と同様であるのでその説明は省略する。
【００８３】
本実施例においては、第２透光面１４０は、第２バック１４３に着色（例えばオレンジ色）を行うことで、白抜きの第２図柄１４１を形成している。また、図１３（ｂ）に示すように、第２バック１４３の一部が、第１透光面１２０の第１輪郭線１２２の内側に浸入して、位置ずれ部ｄを形成している。
【００８４】
以上の構成において、光源１５０が消灯されている場合には、遊技者は、第１図柄１２１及び第１バック１２３を視認して、第２透光面１４０は視認しない。
【００８５】
これに対し、光源１５０が点灯された場合、第１透光面１２０のオレンジ色の第１図柄１２１は、第２透光面１４０の白抜きの第２図柄１４１を透過する光によって明るくなるが、位置ずれ部ｄに対応する部分は、オレンジ色が重なって濃くなる。また、第１透光面１２０の第１バック１２３は、第２透光面１４０の第２バック１４３のオレンジ色が重なって、空色から緑色に変化する。すなわち、光源１５０の点滅に対応して、第１透光面１２０の第１図柄１２１の、位置ずれ部ｄに対応する部分が、濃くなったり、薄くなったりする。これにより、第１図柄１２１の歯部が、位置ずれ部ｄに対応する分だけ回転したり、この逆方向に元に戻ったりするように見える。
（実施例８）
【００８６】
図１４に実施例８を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例８において、第１透光面１２０が、第１輪郭線１２２を有していない点を除いて、他の構成は、実施例１と同様である。
【００８７】
本実施例においては、光源１５０が消灯されている場合には、遊技者は、第１図柄１２１及び第１バック１２３を視認して、第２透光面１４０は視認しない。
【００８８】
これに対して、光源１５０が点灯された場合、第１透光面１２０の第１図柄１２１は、第２透光面１４０の第２図柄１４１のオレンジが重なって、濃いオレンジ色になる。また、第１透光面１２０の第１バック１２３は、透過光によって明るい空色になるが、位置ずれ部ｄに対応する部分は、第２透光面１４０の第２図柄１４１のオレンジ色が重なって、空色から緑色に変化する。すなわち、光源１５０の点滅に対応して、第１透光面１２０の第１バック１２３の、位置ずれ部ｄに対応する部分が、緑色になったり、空色になったりする。これにより、第１図柄１２１の歯部が、位置ずれ部ｄに対応する分だけ回転したり、この逆方向に元に戻ったりするように見える。なお、図１４（ｂ）中の第１図柄１２１における、第２図柄１４１よりも左側に位置する部分、つまり左側における重なっていない部分は、オレンジ色が光源１５０の点滅に対応して、薄くなったり濃くなったりする。
（実施例９）
【００８９】
図１５に実施例９を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例９において、第１透光面１２０が、第１輪郭線１２２を有していない点を除いて、他の構成は、実施例７と同様である。
【００９０】
本実施例においては、光源１５０が消灯されている場合には、遊技者は、第１図柄１２１及び第１バック１２３を視認して、第２透光面１４０は視認しない。
【００９１】
これに対して、光源１５０が点灯された場合、第１透光面１２０の第１図柄１２１は、第２透光面１４０の白抜きの第２図柄１４１を透過する光によって明るくなるが、一方の位置ずれ部ｄに対応する部分は、オレンジ色が重なって濃いオレンジ色になる。また、第１透光面１２０の第１バック１２３は、第２透光面１４０の第２バック１４３のオレンジ色が重なって、空色から緑色に変化する。すなわち、光源１５０の点滅に対応して、第１透光面１２０の第１図柄１２１の、位置ずれ部ｄに対応する部分の色が濃くなったり薄くなったりし、また、第１透光面１２０の第１バック１２３が緑色になったり、空色になったりする。これにより、第１図柄１２１の歯部が、位置ずれ部ｄに対応する分だけ回転したり、この逆方向に元に戻ったりするように見える。
（実施例１０）
【００９２】
図１６に実施例１０を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、実施例１０において、第２透光面１４０の第２バック１４３Ｓに遮光塗料が塗布されている点を除いて、他の構成は、実施例１と同様である。
【００９３】
本実施例においては、光源１５０が消灯されている場合には、遊技者は、第１図柄１２１及び第１バック１２３を視認して、第２透光面１４０は視認しない。
【００９４】
これに対して、光源１５０が点灯された場合、第１透光面１２０の第１図柄１２１は、第２透光面１４０のオレンジ色の第２図柄１４１が重なって、濃いオレンジ色になるが、位置ずれ部ｄに対応する部分は、光が遮られるため暗いオレンジ色になる。このオレンジ色の明暗及び濃淡の変化により、第１図柄１２１の歯部が、位置ずれ部ｄに対応する分だけ回転したり、この逆方向に元に戻ったりするように見える。
（実施例１１）
【００９５】
図１７に実施例１１を示す。（ａ）は、装飾パネル装置の分解斜視図であり、（ｂ）は、装飾パネルの、図６に相当する断面図、すなわち、図５のＡ−Ａ線矢視図を拡大して示す断面図に相当する断面図である。なお、表面パネル１１０、下地１３０については、実施例１と同様である。
【００９６】
第１透光面１２０は、歯車形状の図柄のオレンジ色の第１図柄１２１及びその周囲を縁取る黒色の第１輪郭線１２２と、さらに、文字からなる図柄１２６及びその周囲を縁取る黒色の第１輪郭線１２７とによって構成されており、第１透光面１２０の周囲には、空色の第１バック１２３が形成されている。
【００９７】
第２透光面１４０は、上述の第１輪郭線１２２よりも少し大きい遮光性の第２輪郭線１４２Ｓ及びその内側の白抜きの第２図柄１４１と、上述の第１輪郭線１２７よりも少し大きい遮光性の第２輪郭線１４７Ｓ及びその内側の白抜きの図柄１４６とによって構成されている。
【００９８】
本実施例によると、光源の点滅に伴って、第１透光面１２０の第１バック１２３における、位置ずれ部ｄに対応する部分が、暗くなったり明るくなったりすることで、第１透光面１２０の歯部や文字が、位置ずれ部ｄに対応する分だけ大きくなったり、小さくなったりして見える。
（実施例１２）
【００９９】
図１８に実施例１２を示す。（ａ）は、装飾パネル装置の分解斜視図であり、（ｂ）は、装飾パネルの、図６に相当する断面図、すなわち、歯車形状の第１図柄１２１、第１輪郭線１２２、及び第１バック１２３については、図５のＡ−Ａ線矢視図を拡大して示す断面図に相当する断面図であり、また、文字からなる第１図柄１２６、第１輪郭線１２７、及び第１バック１２３については、第１輪郭線１２７に２箇所で交差する平面で切った断面図である。なお、表面パネル１１０、下地１３０については、実施例１と同様である。
【０１００】
第１透光面１２０は、歯車形状の図柄のオレンジ色の第１図柄１２１及びその周囲を縁取る黒色の第１輪郭線１２２と、さらに、文字からなる第１図柄１２６及びその周囲を縁取る黒色の第１輪郭線１２７とによって構成されており、第１透光面１２０の周囲には、空色の第１バック１２３が形成されている。
【０１０１】
第２透光面１４０は、上述の第１輪郭線１２２に対してその内側に位置する遮光性の第２輪郭線１４２Ｓ及びこの第２輪郭線１４２Ｓの内側の白抜きの第２図柄１４１と、上述の第１輪郭線１２７に対してその内側に位置する遮光性の第２輪郭線１４７Ｓ及びこの第２輪郭線１４７の内側に位置する白抜きの第２図柄１４６とによって構成されている。
【０１０２】
本実施例によると、光源の点滅に伴って、第１透光面１２０の第１図柄１２１及び第１図柄１２６の位置ずれ部ｄに対応する部分が、暗くなったり明るくなったりすることで、第１透光面１２０の歯部や文字が、位置ずれ部ｄに対応する分だけ小さくなったり、大きくなったりして見える。
（実施例１３）
【０１０３】
図１９に実施例１３を示す。（ａ）は、装飾パネル装置の分解斜視図であり、（ｂ）は、装飾パネルの、図６に相当する断面図、すなわち、歯車形状の第１図柄１２１、第１輪郭線１２２、及び第１バック１２３については、図５のＡ−Ａ線矢視図を拡大して示す断面図に相当する断面図であり、また、文字からなる第１図柄１２６、第１輪郭線１２７、及び第１バック１２３については、第１輪郭線１２７に２箇所で交差する平面で切った断面図である。なお、表面パネル１１０、下地１３０については、実施例１と同様である。
【０１０４】
第１透光面１２０は、上述の実施例１のものと同様である。一方、第２透光面１４０は、遮光性の第２バック１４３Ｓによって、白抜きの歯車形状の第２図柄１４１と白抜きの文字の第２図柄１４６とが構成されている。また、第２バック１４３Ｓは、図１９（ｂ）に示すように、それぞれの第１輪郭線１２２，１２７を外側から内側に超えて、第１図柄１２１，１２６に浸入し、これにより位置ずれ部ｄが形成されている。
【０１０５】
本実施例によると、光源の点滅に伴って、第１透光面１２０の第１図柄１２１及び第１図柄１２６における、位置ずれ部ｄに対応する部分が、暗くなったり明るくなったりすることで、第１透光面１２０の歯部や文字が、位置ずれ部ｄに対応する分だけ小さくなったり、大きくなったりして見える。
【０１０６】
以上説明した実施例においては、光源１５０等の点滅に伴って、第１図柄１２１が回転したり、大きくなったり、小さくなったりする例を説明したが、本発明はこれらの限定されるものではない。すなわち、第１図柄に対して、これと同形で平行移動させた第２図柄を配置して、光源１５０を点滅させることで、第１図柄１２１が平行移動したり、元に戻ったりするように見せることができる。
【図面の簡単な説明】
【０１０７】
【図１】パチスロ１０を正面側の左斜め上方から見た斜視図である。
【図２】パチスロ１０の正面図である。
【図３】装飾パネル装置３０全体を説明する斜視図である。
【図４】動く図柄の一例を示す図である。
【図５】図４の部分拡大図である。
【図６】図５中のＡ−Ａ線矢視拡大断面図である。
【図７】（ａ）は実施例１の装飾パネル装置の分解斜視図であり、（ｂ）は装飾パネルの一部の断面を拡大して示す図である。
【図８】（ａ）は実施例２の装飾パネル装置の分解斜視図であり、（ｂ）は装飾パネルの一部の断面を拡大して示す図である。
【図９】（ａ）は実施例３の装飾パネル装置の分解斜視図であり、（ｂ）は装飾パネルの一部の断面を拡大して示す図である。
【図１０】（ａ）は実施例４の装飾パネル装置の分解斜視図であり、（ｂ）は装飾パネルの一部の断面を拡大して示す図である。
【図１１】（ａ）は実施例５の装飾パネル装置の分解斜視図であり、（ｂ）は装飾パネルの一部の断面を拡大して示す図である。
【図１２】（ａ）は実施例６の装飾パネル装置の分解斜視図であり、（ｂ）は装飾パネルの一部の断面を拡大して示す図である。
【図１３】（ａ）は実施例７の装飾パネル装置の分解斜視図であり、（ｂ）は装飾パネルの一部の断面を拡大して示す図である。
【図１４】（ａ）は実施例８の装飾パネル装置の分解斜視図であり、（ｂ）は装飾パネルの一部の断面を拡大して示す図である。
【図１５】（ａ）は実施例９の装飾パネル装置の分解斜視図であり、（ｂ）は装飾パネルの一部の断面を拡大して示す図である。
【図１６】（ａ）は実施例１０の装飾パネル装置の分解斜視図であり、（ｂ）は装飾パネルの一部の断面を拡大して示す図である。
【図１７】（ａ）は実施例１１の装飾パネル装置の分解斜視図であり、（ｂ）は装飾パネルの一部の断面を拡大して示す図である。
【図１８】（ａ）は実施例１２の装飾パネル装置の分解斜視図であり、（ｂ）は装飾パネルの一部の断面を拡大して示す図である。
【図１９】（ａ）は実施例１３の装飾パネル装置の分解斜視図であり、（ｂ）は装飾パネルの一部の断面を拡大して示す図である。
【符号の説明】
【０１０８】
１０        パチスロ（遊技機）
３０        装飾パネル装置
３１        装飾パネル
３２        基板（表面パネル）
３３        窓部
３４        装飾部
４１，４２，４３
歯車（図柄）
５０        光源
６２        下地
１１０      基端（表面パネル）
１２０      第１透光面
１２１，１２６
第１図柄
１２２，１２７
第１輪郭線
１２３      第１バック
１３０      下地
１４０      第２透光面
１４１，１４６
第２図柄
１４２      第３輪郭線
１４２Ｓ    第２輪郭線
１４３，１４３Ｓ
第２バック
１５０      光源
ｄ          位置ずれ部
【図１】
2010187907.tif 000003
【図２】
2010187907.tif 000004
【図３】
2010187907.tif 000005
【図４】
2010187907.tif 000006
【図５】
2010187907.tif 000007
【図６】
2010187907.tif 000008
【図７】
2010187907.tif 000009
【図８】
2010187907.tif 000010
【図９】
2010187907.tif 000011
【図１０】
2010187907.tif 000012
【図１１】
2010187907.tif 000013
【図１２】
2010187907.tif 000014
【図１３】
2010187907.tif 000015
【図１４】
2010187907.tif 000016
【図１５】
2010187907.tif 000017
【図１６】
2010187907.tif 000018
【図１７】
2010187907.tif 000019
【図１８】
2010187907.tif 000020
【図１９】
2010187907.tif 000021